(57)【特許請求の範囲】
【請求項１】
毛髪処理剤を構成する第１剤及び第２剤が別個に充填された二つのエアゾール容器と、該二つのエアゾール容器の上部に取り付けられる吐出ヘッドとを備え、該吐出ヘッドが、外側カバー、吐出操作部、及び該外側カバーから突出するノズル部を有し、該吐出操作部の操作により、第１剤及び第２剤が前記ノズル部から吐出される二剤吐出装置における前記吐出ヘッドに脱着自在に取り付け可能なキャップであって、
前記吐出操作部部分を含む前記吐出ヘッドの上端部を覆う本体カバー部と、前記ノズル部を覆うノズルカバー部とを有し、キャップの平面視において、前記ノズルカバー部は、前記本体カバー部から突出しており、
前記本体カバー部の前記吐出ヘッドの上端部を覆う部分は、下端開口部側から平面視して、前記二つのエアゾール容器の連結方向に沿って長い形状の凹部を形成しており、
前記ノズルカバー部は、前記ノズル部を覆う凹部を有し、該ノズルカバー部の突出方向の基端側から先端側に向かって該凹部の深さが増大している、二剤吐出装置のキャップ。
【請求項２】
前記本体カバー部の前記吐出ヘッドの上端部を覆う部分は、
前記キャップを前記吐出ヘッドから取り外した状態において、第１剤と第２剤とを混合する容器として利用可能である、請求項１に記載の二剤吐出装置のキャップ。
【請求項３】
前記本体カバー部の前記吐出ヘッドの上端部を覆う部分は、下端開口部側から平面視して、長円形状の凹部を形成している、請求項１又は２に記載の二剤吐出装置のキャップ。
【請求項４】
前記本体カバー部は、前記吐出ヘッドの上端部を覆う凹部を有し、該本体カバー部の凹部と前記ノズルカバー部の凹部とが連通して一体の窪みを形成しており、該本体カバー部の凹部と該ノズルカバー部の凹部の両者を、第１剤と第２剤との混合に利用可能である、請求項１〜３の何れか１項に記載の二剤吐出装置のキャップ。
【請求項５】
前記窪みの底部における、前記本体カバー部と前記ノズルカバー部との境界部に位置する部分に凸部又は段差が形成されている、請求項４に記載の二剤吐出装置のキャップ。
【請求項６】
前記ノズル部が突出する方向を前方、前記ノズル部が突出する方向とは逆方向を後方としたときに、前記本体カバー部が、前後方向に非対称の形状を有しており、前記吐出ヘッドに対して、前後を逆にして取り付けることができないようになされている、請求項１〜５の何れか１項に記載の二剤吐出装置のキャップ。
【請求項７】
前記ノズルカバー部は、該ノズルカバー部の突出方向の基端側から先端側に向かって、キャップの高さが増大している、請求項１〜６の何れか１項に記載の二剤吐出装置のキャップ。
【請求項８】
前記本体カバー部の高さと前記ノズルカバー部の高さは、それらの差の絶対値が、該本体カバー部の高さの２０％以内である、請求項７に記載の二剤吐出装置のキャップ。
【請求項９】
前記ノズルカバー部の外周部に滑り止め手段が設けられている、請求項１〜８の何れか１項に記載の二剤吐出装置のキャップ。
【請求項１０】
前記本体カバー部の外周部に滑り止め手段が設けられている、請求項１〜９の何れか１項に記載の二剤吐出装置のキャップ。
【請求項１１】
前記ノズルカバー部と前記本体カバー部との結合角が鈍角である、請求項１〜１０の何れか１項に記載の二剤吐出装置のキャップ。
【請求項１２】
毛髪処理剤を構成する第１剤及び第２剤が別個に充填された二つのエアゾール容器と、該二つのエアゾール容器の上部に取り付けられる吐出ヘッドとを備え、該吐出ヘッドが、外側カバー、吐出操作部、及び該外側カバーから突出するノズル部を有し、該吐出操作部の操作により、第１剤及び第２剤が前記ノズル部から吐出される二剤吐出装置と、該二剤吐出装置の前記吐出ヘッドに脱着自在に取り付けられるキャップとからなるキャップ付二剤吐出装置であって、
前記キャップが、請求項１〜１１の何れか１項に記載の二剤吐出装置のキャップである、キャップ付二剤吐出装置。
【発明の詳細な説明】
【技術分野】
【０００１】
本発明は、二剤吐出装置のキャップ及びキャップ付二剤吐出装置に関する。
【背景技術】
【０００２】
従来、染毛剤や脱色剤等の毛髪処理剤として、アルカリ剤を含有する第１剤と過酸化水素を含有する第２剤とからなり、使用直前に第１剤と第２剤とを混合して使用する二剤式の毛髪処理剤が知られている。
また、このような二剤式の毛髪処理剤を構成する第１剤及び第２剤を、２つのエアゾール容器に別個に充填しておき、第１剤及び第２剤が、一回の操作で、ノズル部に設けた一つの吐出口又は近接した２つの吐出口から同時に吐出されるようにした二剤吐出装置も知られている。
例えば、特許文献１には、毛髪化粧剤を構成する第１剤及び第２剤の夫々を充填するための二つのエアゾール容器と、該二つのエアゾール容器を連結して固定し、夫々の該エアゾール容器に充填された第１剤と第２剤を外部に吐出するために、該二つのエアゾール容器の端部に係合された吐出ヘッドとを備え、該吐出ヘッドに、第１剤及び第２剤を吐出するための吐出口と、押下することにより第１剤と第２剤を同時に該吐出口から吐出可能な吐出ボタンとが形成された二剤吐出装置が記載されている。
【先行技術文献】
【特許文献】
【０００３】
【特許文献１】特開２００２−１１９３２８号公報
【発明の概要】
【発明が解決しようとする課題】
【０００４】
特許文献１の二剤吐出装置によれば、吐出ボタンの押し下げによって、先端に吐出口を有するノズル部を備えた部材が押し下げられ、更にその部材により２つのエアゾール容器のステムが押し下げられることによって、二つエアゾール容器に別個に充填されていた第１剤及び第２剤が、前記吐出口から同時に吐出される。
斯かる二剤吐出装置は、一つの操作により、毛髪処理剤を構成する二剤を吐出できるため操作性や作業性に優れているが、その反面、二剤吐出装置の保管、運搬、使用の前後などに、物や身体等が当たって、ノズル部に意図しない荷重が加えられたときに、エアゾール容器のステムが押し下げられて内容物が吐出される可能性がある。
また、従来の二剤吐出装置においては、第１剤と第２剤とが充分に混合された状態とするには、別に用意した容器内やシート上に第１剤及び第２剤を吐出し、当該容器内やシート上で別途混合操作を行う必要がある場合が多く、不便であった。
【０００５】
本発明の課題は、従来技術が有する解決課題を解決し得る、二剤吐出装置のキャップ及びキャップ付二剤吐出装置を提供することに関する。
【課題を解決するための手段】
【０００６】
本発明は、毛髪処理剤を構成する第１剤及び第２剤が別個に充填された二つのエアゾール容器と、該二つのエアゾール容器の上部に取り付けられる吐出ヘッドとを備え、該吐出ヘッドが、外側カバー、吐出操作部、及び該外側カバーから突出するノズル部を有し、該吐出操作部の操作により、第１剤及び第２剤が前記ノズル部から吐出される二剤吐出装置における前記吐出ヘッドに脱着自在に取り付け可能なキャップであって、前記吐出操作部部分を含む前記吐出ヘッドの上端部を覆う本体カバー部と、前記ノズル部を覆うノズルカバー部とを有し、キャップの平面視において、前記ノズルカバー部は、前記本体カバー部から突出しており、前記本体カバー部の前記吐出ヘッドの上端部を覆う部分は、下端開口部側から平面視して、前記二つのエアゾール容器の連結方向に対して長い形状の凹部を形成している、二剤吐出装置のキャップを提供するものである。
【０００７】
本発明は、毛髪処理剤を構成する第１剤及び第２剤が別個に充填された二つのエアゾール容器と、該二つのエアゾール容器の上部に取り付けられる吐出ヘッドとを備え、該吐出ヘッドが、外側カバー、吐出操作部、及び該外側カバーから突出するノズル部を有し、該吐出操作部の操作により、第１剤及び第２剤が前記ノズル部から吐出される二剤吐出装置と、該二剤吐出装置の前記吐出ヘッドに脱着自在に取り付けられるキャップとからなるキャップ付二剤吐出装置であって、前記キャップが、請求項１〜１２の何れか１項に記載の二剤吐出装置のキャップである、キャップ付二剤吐出装置を提供するものである。
【発明の効果】
【０００８】
本発明の二剤吐出装置のキャップ及びキャップ付二剤吐出装置によれば、ノズル部や吐出操作部に意図しない荷重が加わることによる意図しない剤の吐出を防止することができるとともに、二剤吐出装置から取り外したキャップを、第１剤と第２剤とを混合する容器として用いることにより、二剤式の毛髪処理剤の調製やその後の塗布作業を簡便に行うことができる。
【図面の簡単な説明】
【０００９】
【図１】図１（ａ）及び図１（ｂ）は、本発明のキャップ付二剤吐出装置の一実施形態を示す斜視図であり、図１（ａ）は二剤吐出装置の吐出ヘッドからキャップを取り外した状態、図１（ｂ）は二剤吐出装置の吐出ヘッドにキャップを取り付けた状態を示す図である。
【図２】図２は、図１に示す二剤吐出装置を、吐出ヘッドとエアゾール容器とに分離して示す斜視図である。
【図３】図３は、図１のＩＩＩ−ＩＩＩ線拡大断面図である。
【図４】図４は、図１に示す二剤吐出装置のキャップを、下端開口部側を上側にして示す斜視図である。
【図５】図５（ａ）は、図４に示す二剤吐出装置のキャップを下端開口部側から平面視した平面図、図５（ｂ）は、図４のＶｂ−Ｖｂ線断面図、図５（ｃ）は、図４のＶｃ−Ｖｃ線断面図、図５（ｄ）は、本体カバー部における吐出ヘッドの上端部を覆う部分を示す図５（ａ）相当図である。
【図６】図６（ａ）は、図１に示す二剤吐出装置のキャップを、二剤吐出装置の吐出ヘッドに正常な状態に取り付けた状態を示す模式図、図６（ｂ）は、図１に示す二剤吐出装置のキャップを、二剤吐出装置の吐出ヘッドに正常な取り付け状態に比して斜めに被せた状態を示す模式図である。
【図７】図７（ａ）は、図１に示す二剤吐出装置のキャップの本体カバー部の凹部に、図１に示す二剤吐出装置から吐出させた第１剤及び第２剤が収容された状態を示す模式図であり、図７（ｂ）は、同じ二剤吐出装置のキャップの異なる持ち方を示す模式図である。
【図８】図８（ａ）及び図８（ｂ）は、本発明の他の実施形態の要部を示す斜視図である。
【発明を実施するための形態】
【００１０】
以下に、本発明をその好ましい実施形態に基づき図面を参照しながら説明する。
本発明のキャップ付二剤吐出装置の一実施形態であるキャップ付二剤吐出装置１０は、図１（ａ）及び図１（ｂ）に示すように、毛髪処理剤を構成する第１剤及び第２剤がそれぞれ別個に充填された二つのエアゾール容器３１，３１と、二つのエアゾール容器３１，３１の上部に取り付けられた吐出ヘッド３３とを備えた二剤吐出装置３と、その二剤吐出装置３の吐出ヘッド３３に脱着自在に取り付けられるキャップ１とからなる。図１に示すキャップ１は、本発明の二剤吐出装置のキャップの一実施形態である。なお、本明細書においては、図１（ａ）及び図１（ｂ）を纏めて図１、図５（ａ）〜図５（ｃ）を纏めて図５、図８（ａ）及び図８（ｂ）を纏めて図８とも表現する。
【００１１】
二剤吐出装置３について更に説明すると、図２及び図３に示すように、二つのエアゾール容器３１，３１の上端部には、二つのエアゾール容器３１，３１どうしを連結するとともに、二つのエアゾール容器３１，３１を吐出ヘッド３３に結合するための連結部材３４が取り付けられている。連結部材３４は、図３に示すように、ステム３１ａが突出するエアゾール容器３１の上端部３１ｂを、連結部材３４に形成された２つの嵌合凹部３４ａに嵌合させることにより取り付けられている。嵌合凹部３４ａの底部には、ステム挿通用の開口３４ｂが形成されている。二つのエアゾール容器３１は、図１に示すように、シュリンクフィルム等の樹脂フィルム３２により一体的に被覆されて一体化した状態が補強されている。
【００１２】
吐出ヘッド３３は、外側カバー３５、吐出操作部としての吐出ボタン３８及び外側カバー３５から突出するノズル部３９を有している。ノズル部３９は、吐出ボタン３８の押し下げに伴い押し下げられるノズル部材４０の一部を構成している。外側カバー３５は、ノズル部材４０のノズル部以外の部分や、エアゾール容器３１の上端部３１ｂを覆っている。
ノズル部３９は、図１（ａ）に示すように、外側カバー３５の天面部３６の前寄りの部位に設けられたノズル挿通用開口部３５ａを貫通して、外側カバー３５から突出している。ノズル部３９は、二剤吐出装置３を直立させた状態において、鉛直方向と交差する方向に突出し、より詳細には、略水平方向に突出している。ノズル部３９は、突出方向の先端部に、第１剤及び第２剤を吐出させる２つの吐出口３９ａを備えており、ノズル部材４０には、図３に示すように、一端が、エアゾール容器３１のステム３１ａに接続され、他端が吐出口３９ａを形成している吐出流路４０ａを有している。
【００１３】
外側カバー３５は、天面部３６と横断面長円形状の筒状部３７とを有している。図１（ａ）及び図６（ａ）に示すように、外側カバー３５は、ノズル部３９が突出する方向である二剤吐出装置３の前方Ｆに位置する前面３７ｆ、ノズル部３９が突出する方向とは反対方向である二剤吐出装置３の後方Ｒに位置する後面３７ｒ、及び前面３７ｆと後面３７ｒとの間に位置する２つの側面３７ｓを有している。二剤吐出装置３の前方Ｆ及び後方Ｒは、二剤吐出装置３の高さ方向に対して直交する方向を、二剤吐出装置３の中心位置を基準に前方Ｆ、後方Ｒ及び左右の２方向の４方向に区分したときの前方Ｆ及び後方Ｒである。
外側カバー３５は、天面部３６から筒状部３７の後面３７ｒ側の上部に亘って開口する吐出ボタン用の開口部３５ｂを有している。吐出ボタン３８は、二剤吐出装置３の前面側の一端が、薄肉に形成された可撓部を介して開口部３５ｂの周囲に連設されている。また、外側カバー３５の内側には、ノズル部材４０のスライドガイドとして機能するスリットを備えた一対の支持壁３５ｃが設けられており、ノズル部材４０に突設された突片４０ｂがスリット内を摺動することにより、ノズル部材４０及びノズル部３９の移動方向が上下方向に規制されている。
【００１４】
外側カバー３５の天面部３６は、上方に突出する、好ましくはリブである突部３６ａを備えている。これにより、キャップ１を吐出ヘッド３３に取り付けた状態で、天面部３６とキャップ１の本体カバー部１２の凹部１２ａ内面との間に空間を確保することができるため、使用後の毛髪処理剤が凹部１２ａに多少残っていた場合であっても、吐出ボタン３８を汚すことが低減される。
【００１５】
さらに、図３に示すように、前記の突部３６ａを、吐出ボタン用の開口部３５ｂの左右の端部に備えていると、使用者が吐出ボタン３８の左右の端部を押し下げることを防止でき、二つのエアゾール容器に別個に充填されていた第１剤及び第２剤が、ノズルの吐出口３９ａから同量を同時に吐出することができるので好ましい。
【００１６】
このような構成を有する二剤吐出装置３によれば、キャップ１を取り外した状態で、吐出ボタン３８を指で押し下げると、その吐出ボタン３８がノズル部材４０を押し下げ、更にそのノズル部材４０が、上方への付勢力が常時加えられている２つのステム３１ａを押し下げることによって、２つのエアゾール容器３１に別々に収容されていた第１剤及び第２剤が、別個の吐出流路４０ａを通ってノズル部３９に送られ、別々の吐出口３９ａから吐出される。
【００１７】
前述した連結部材３４には、係合突起３４ｃを備えた可撓片３４ｄが設けられており、２本のエアゾール容器３１に取り付けた連結部材３４を吐出ヘッド３３内に挿入し、係合突起３４ｃを外側カバー３５に設けた係合孔部３５ｄに係合させることで、２本のエアゾール容器３１と吐出ヘッド３３とを一体化させることができる。他方、外側カバーの筒状部３７の相対向する部位に形成された一対の係合解除片３７ａを、外側カバー３５の外側から内側に向かって押圧することにより、係合突起３４ｃと係合孔部３５ｄの係合状態が解除され、２本のエアゾール容器３１と吐出ヘッド３３とが分離が可能となる。
【００１８】
本実施形態におけるキャップ１は、係合解除片３７ａの根元に形成されている溝状の係合凹部３７ｂに、キャップ１の下端開口部１ｄ近傍に設けた係合凸部１１を係合させることで、吐出ヘッド３３に対する取り付け状態が安定化し、意図しないキャップ１の脱落が防止される。キャップ１の下端開口部１ｄとは、キャップ１の内面側に形成された窪み１４の開口部であり、キャップ１を吐出ヘッド３３に取り付けた状態で二剤吐出装置３を水平面上に直立させたときにキャップ１の下端に位置している。
【００１９】
本実施形態におけるキャップ１についてより詳細に説明する。
本実施形態におけるキャップ１は、図１及び図６（ａ）に示すように、吐出ヘッド３３に取り付けられた状態において、吐出ボタン３８部分を含む吐出ヘッド３３の上端部を覆う本体カバー部１２と、ノズル部３９を覆うノズルカバー部１３とを有しており、ノズルカバー部１３は、図５（ａ）に示すように、キャップ１の平面視において、本体カバー部１２から突出している。
キャップ１の本体カバー部１２は、主として、吐出操作部である吐出ボタン３８に、物や身体が意図せずに接触することを防止する部分であり、本実施形態のキャップ１においては、図１及び図６（ａ）に示すように、外側カバー３５の天面部３６における、ノズル部３９が存在する部分を除く略全域を覆うように形成されている。キャップ１のノズルカバー部１３は、外側カバー３５から突出したノズル部３９に、物や身体が意図せずに接触することを防止する部分であり、本実施形態のキャップ１においては、図１及び図６（ａ）に示すように、外側カバー３５から突出するノズル部３９の略全体を覆うように形成されている。ノズル部３９は、突出方向における全域が、キャップ１に覆われることが好ましい。またノズル部３９は、二剤吐出装置３の高さ方向〔図６（ａ）の上下方向〕において、少なくとも上端部が、ノズル部を覆う凹部内に収容されることが好ましく、ノズル部３９の高さｔ〔図６（ａ）参照〕の２０％以上、より好ましくは５０％以上、更に好ましくは１００％が、キャップ１のノズル部を覆う凹部内に収容されることが好ましい。
【００２０】
本実施形態のキャップ１における本体カバー部１２は、図５（ａ）に示すように、下端開口部１ｄ側から視た平面視形状が、二剤吐出装置３をノズル部３９が突出する前方Ｆ側から視て左右方向である第１方向（二つのエアゾール容器の連結方向）Ｘに長い形状を有し、より具体的には、長軸が第１方向Ｘに沿う長円形である。本体カバー部１２の平面視形状は、第１方向Ｘに長い形状である。ノズルカバー部１３は、本体カバー部１２の第１方向Ｘにおける中央部分Ｘｃの片側に連設されている。
【００２１】
本実施形態におけるキャップ１の本体カバー部１２は、吐出ボタン３８部分を含む吐出ヘッド３３の上端部を覆うことが可能な凹部１２ａを有しており、ノズルカバー部１３は、ノズル部３９を覆うことが可能な凹部１３ａを有している。本体カバー部１２の内面形状は、吐出ヘッド３３の上端部の形状に沿う形を有している。
【００２２】
また、本体カバー部１２の吐出ヘッドの上端部を覆う部分（図５（ｄ）の斜線を施してある部分）は、キャップ１を下端開口部側から平面視して、二つのエアゾール容器の連結方向Ｘに対して長い形状の凹部１２ａを形成している。凹部１２ａが、連結方向Ｘに対して長い形状とは、連結方向Ｘにおける長さが、連結方向Ｘに直交する方向Ｙにおける長さより長いことを意味する。前記凹部１２ａは、連結方向Ｘにおける長さが、連結方向Ｘに直交する方向Ｙにおける長さの、好ましくは１．２倍以上、より好ましくは１．５倍以上であり、また好ましくは５倍以下、より好ましくは４倍以下であり、また好ましくは１．２倍以上５倍以下、より好ましくは１．５倍以上４倍以下である。
本実施形態では、下端開口部側から平面視して長円形状の凹部を形成している。ここで長円形状とは、楕円形状、トラック円形状（２本の相対する直線を２つの円弧で結んだ形状、陸上競技用トラックの形状）のことであり、略楕円形状、略トラック円形状で良い。なお、当該凹部は長方形上でも良い。
【００２３】
また、本実施形態におけるキャップ１は、図７（ａ）に示すように、吐出ヘッド３３から取り外して、下端開口部１ｄ側を上向きにすることによって、第１剤及び第２剤を、二剤吐出装置３のノズル部３９から、本体カバー部１２の凹部１２ａに直接注入することができ、本体カバー部１２の凹部１２ａを、第１剤５Ａと第２剤５Ｂとを混合する容器として利用可能である。第１剤５Ａと第２剤５Ｂとを混合するには、へら、綿棒、毛髪処理剤を頭髪等に塗布するための塗布具等の任意の道具を用いることができるが、混合後に塗布作業を行う際の作業の容易性の観点からは、塗布具を用いることが好ましい。図７（ａ）に、塗布具の一例として柄５１の先端に刷毛部５２を備えた塗布具５Ｃを示す。
【００２４】
詳述すると、本体カバー部１２の凹部１２ａは、前述のように下端開口部１ｄ側から平面視して、二つのエアゾール容器３１，３１の連結方向Ｘに対して長い形状を有している。従って、二剤吐出装置３のノズル部３９から、第１剤５Ａと第２剤５Ｂとを、凹部１２ａの長手方向（Ｘ方向）の一端から他端まで注入しやすくなり、両剤が等量吐出されたかの確認がしやすくなる。また凹部１２ａに注入された第１剤５Ａと第２剤５Ｂの横に更に新たに両剤を注入しやすくなり、両剤が等量吐出されたかの確認もしやすくなる。
【００２５】
また、本体カバー部１２の前記凹部１２ａに注入された第１剤５Ａと第２剤５Ｂとを塗布具で混合する際に、塗布具５Ｃを把持した手の手首を、凹部１２ａの長手方向に動かしやすく、両剤の混合も容易となる。
【００２６】
また、本実施形態では本体カバー部１２の前記凹部１２ａは、下端開口部側から平面視して長円形状を形成しており、長手方向の端部は円弧形状となっており、端部において容易に塗布具５Ｃの刷毛部５２を回転させやすくなり、両剤の混合が更に容易となる。
【００２７】
更に本実施形態では、本体カバー部１２の前記凹部１２ａが下端開口部１ｄ側から平面視して、前記二つのエアゾール容器の連結方向Ｘに対して長い凹部を形成しているだけではなく、天面側から平面視して、前記二つのエアゾール容器の連結方向Ｘに対して長い形状であるため、前記両剤を混合する際に本体カバー部１２を手で把持しやすくなり、両剤の混合が更に容易となる。
【００２８】
また、本実施形態に係る二剤吐出装置のキャップ１及びキャップ付二剤吐出装置１０によれば、キャップ１が、本体カバー部１２に加えてノズル部３９を覆うノズルカバー部１３を有するため、二剤吐出装置の保管、運搬、使用の前後などに、ノズル部３９に、物や身体等が当たって内容物が意図せずに吐出されることが防止される。
また、取り外して下端開口部１ｄを上側に向けたキャップ１に、二剤吐出装置３のノズル部３９から直接、第１剤と第２剤とを注入することができ、該キャップ１をトレー状の容器として、それらを混合できるため、第１剤と第２剤との混合のために、別に容器やシートを用意する必要がなく、毛髪処理剤の調製、又は該調整及びその後の塗布作業等を簡便に行うことができる。
更に、毛髪処理剤を混合する際にノズルカバー部１３も手で把持することができ、毛髪処理剤の混合が更に容易となる。
【００２９】
また、本実施形態におけるキャップ１においては、図５に示すように、本体カバー部１２の凹部１２ａとノズルカバー部１３の凹部１３ａとが連通して一体の窪み１４を形成しており、より多くの量の第１剤と第２剤を窪み１４に注入でき、両剤の混合も更に容易となり、毛髪処理剤の吐出回数や混合回数を減らすことができる。
【００３０】
また、キャップ１の平面視において、ノズルカバー部１３が、本体カバー部１２から突出していることによって、下記（１）〜（３）の効果の１又は２以上が奏される。
（１）図７（ａ）に示すように、ノズルカバー部１３を、摘み部として利用可能であり、混合や頭髪等への塗布に利用する道具が手に当らないように保持することが容易となる。ノズルカバー部１３を摘み部として利用するには、ノズルカバー部１３の、本体カバー部１２からの突出長さＬ３〔図５（ａ）〕は、５ｍｍ以上２５ｍｍ以下が好ましく、８ｍｍ以上２０ｍｍ以下が更に好ましい。本実施形態では１２ｍｍである。
（２）本体カバー部１２の凹部１２ａとノズルカバー部１３の凹部１３ａとが一体の窪み１４を形成する場合、本体カバー部１２とノズルカバー部１３との境目の周壁の角部１４ａ，１４ａ〔図５（ａ）参照〕に、塗布具５Ｃ等の道具に付着した毛髪処理剤をなすりつけることができ、頭髪等への塗布に利用する塗布具に付着した毛髪処理剤の量を調整したり、混合に使用した道具に付着した毛髪処理剤をキャップ１内に戻すことが容易となる。また、毛髪処理剤を前記塗布具５Ｃの刷毛部５２のような道具で混合する際に、角部１４ａ，１４ａによって毛髪処理剤の撹拌効果が高まり、毛髪処理剤の混合が更に良くなる。
（３）毛髪処理剤を前記塗布具５Ｃのような道具で毛髪に塗布して、手袋をした両手で毛髪処理剤を毛髪に揉み込む時に、道具をノズルカバー部１３に箸置きのように置くことができる。特にノズルカバー部１３と本体カバー部１２との結合部に道具を置いた場合には、ノズルカバー部１３と本体カバー部１２の両方の周壁部２０と道具とが接触するため、道具が転がりにくくなる。
【００３１】
また、本実施形態におけるキャップ１においては、図４及び図５に示すように、本体カバー部１２の凹部１２ａとノズルカバー部１３の凹部１３ａとが連通して一体の窪み１４を形成しており、更にその窪み１４の底部における、本体カバー部１２とノズルカバー部１３との境界部に位置する部分に、凸部１４ｂが形成されている。
斯かる凸部１４ｂを有すると、塗布具５Ｃの刷毛部５２をその凸部１４ｂでしごいて、刷毛部５２に含ませる毛髪処理剤の量を調節することができる。なお、上側に向けた窪み１４の開口周縁部で、刷毛部５２をしごいても良い。
凸部１４ｂは、第１方向Ｘに沿って延びていることが好ましい。
また、凸部１４ｂに代えて、本体カバー部１２における底部とノズルカバー部１３における底部との間に段差を形成しても良い。そのような段差部分でも、塗布具５Ｃの刷毛部５２等をしごいて、刷毛部５２に含ませる毛髪処理剤の量を調節することができる。
【００３２】
窪み１４の底部に形成する凸部１４ｂ及び段差の高さｄは、本体カバー部１２の凹部１２ａの最大深さｄ１の、好ましくは５％以上５０％以下であり、更に好ましくは１０％以上２５％以下である。
【００３３】
また、本実施形態におけるキャップ１は、図６（ａ）に示すように、二剤吐出装置３におけるノズル部３９が突出する方向を前方Ｆ、ノズル部３９が突出する方向とは逆方向を後方Ｒとしたときに、本体カバー部１２が、前後方向Ｙに非対称の形状を有している。より具体的には、図５（ｂ）に示すように、第１方向Ｘにおける本体カバー部１２の両端部分Ｘｅ，Ｘｅは、本体カバー部１２の内面形状が、第１方向Ｘと直交する第２方向Ｙにおける一端側１２ｆと他端側１２ｒとで非対称となっている。より詳細には、二剤吐出装置３の前方Ｆ側に配される一端側１２ｆは、底部１２ｂから上側に向けられた下端開口部１ｄの周縁部１２ｃまでの立ち上がり部の途中に、傾斜した段部１２ｄを有する形状であるのに対して、二剤吐出装置３の後方Ｒ側に配される他端側１２ｒは、そのような段部を有しない形状である。この本体カバー部１２の両端部分Ｘｅの断面形状は、外側カバー３５の同一平面による断面形状に略一致している。
このように、本実施形態におけるキャップ１は、本体カバー部１２が、前後方向Ｙに非対称の形状を有しているため、図６（ａ）に示すように、ノズルカバー部１３を、二剤吐出装置３の前方Ｆに向けた状態で、吐出ヘッド３３に取り付けることは可能である一方、吐出ヘッド３３に対して、前後を逆にして取り付けることができない。
キャップ１を、前後を逆にして取り付けることができないようにすることで、キャップ１を逆向きに取り付けることを防止でき、キャップ１のノズルカバー部１３を有しない側がノズル部３９と接触することにより剤が意図せずに吐出される等の不都合を防止することができる。
【００３４】
また、本実施形態におけるキャップ１のノズルカバー部１３は、図５（ｃ）に示すように、ノズルカバー部１３の突出方向における基端１３ｒ側から先端１３ｆ側に向かってノズル部を覆う凹部１３ａの深さが増大している。ノズル部を覆う凹部１３ａの深さとは、窪み１４の開口面１５から当該凹部１３ａの底部１３ｂまでの距離である。斯かる構成を有すると、キャップ１を吐出ヘッド３３に取り付ける際に、図６（ｂ）に示すように、キャップ１を傾斜状態で被せてしまった場合であっても、キャップ１がノズル部３９に接触しにくくなる。それにより、意図しない剤の吐出等を防止することができる。なお、本実施形態のキャップ１におけるノズルカバー部１３は、凹部１３ａの底部１３ｂが、ノズルカバー部１３の突出方向における基端１３ｒ側から先端１３ｆ側に向かって下降する傾斜面とされている。
ノズルカバー部１３の凹部は、図６（ａ）キャップ１を吐出ヘッド３３に正常な状態に取り付けた状態において、ノズル部３９の先端上に高さＬ９が３ｍｍ以上２０ｍｍの隙間があることが好ましく、６ｍｍ以上１５ｍｍ以下の隙間があることが更に好ましい。
【００３５】
また、斯かる構成により、図５（ｃ）に示すように、キャップ１は、本体カバー部１２の高さｔ２と、ノズルカバー部１３の高さｔ３との差が小さくなり、窪み１４の開口面１５を上向きにして水平面に置いたときの安定性が向上するので好ましい。同様の観点から、本体カバー部１２の高さｔ２とノズルカバー部１３の高さｔ３は、浴室内の台や棚、洗面台、机、化粧台等の各種の支持台上に置いたときの安定性の向上の観点から、それらの差（ｔ２−ｔ３）の絶対値が、本体カバー部１２の高さｔ２の２０％以内であることが好ましく、より好ましくは５％以内である。高さｔ２，ｔ３は、図５（ｃ）に示す断面、即ちノズルカバー部１３の第１方向Ｘにおける中央を通る縦断面において、それぞれの最大高さを測定する。
なお、本実施形態のキャップ１は、窪み１４の底部を構成する底面部１９及び底面部１９の周囲から立ち上がる周壁部２０を有し、それらの肉厚が略一定である。そのため、ノズルカバー部１３の凹部１３ａの深さが、ノズルカバー部１３の突出方向における基端１３ｒ側から先端１３ｆ側に向かって増大していると、キャップ１の高さｔも、同様に、ノズルカバー部１３の突出方向における基端１３ｒ側から先端１３ｆ側に向かって増大している。
【００３６】
また、本実施形態におけるキャップ１のノズルカバー部１３の外周部には、滑り止め手段として、段差部１６，１７が設けられている。詳細には、図７（ｂ）に示すように、ノズルカバー部１３における、その突出方向の先端に位置する先端面１３ｔに、一対の段差部１６，１６が形成されており、また、ノズルカバー部１３における突出方向の両側に位置する側面部１３ｓ，１３ｓに、それぞれ一つの段差部１７が形成されている。各段差部１６，１７は、ノズルカバー部１３の内面を外面方向に張り出させて形成されており、それぞれキャップ１の高さ方向に延びている。
【００３７】
また、本実施形態におけるキャップ１の本体カバー部１２の外周部には、滑り止め手段として、縦リブ１８が設けられている。詳細には、図７（ｂ）に示すように、本体カバー部１２における、ノズルカバー部１３が突出する側とは反対側の部位の外面に、第１方向Ｘに間隔を開けて縦リブ１８が複数形成されている。個々の縦リブ１８は、それぞれキャップ１の外面側に突出しており、キャップ１の高さ方向に延びている。
【００３８】
キャップ１の外周部に、滑り止め手段を設けることで、キャップ１を片手に持った状態が安定し、第１剤及び第２剤の混合作業や、調製した毛髪処理剤の頭髪等への塗布作業を、スムーズに行うことができる。
図７（ａ）に示す態様で、キャップ１を把持する場合には、ノズルカバー部１３における突出方向の両側に位置する側面部１３ｓ，１３ｓそれぞれに、滑り止め手段として段差部１７あるいは縦リブ１８と同様の縦リブが形成されていることが好ましい。
図７（ｂ）に示す態様で、キャップ１を把持する場合には、ノズルカバー部１３における先端面１３ｔ及び本体カバー部１２における、ノズルカバー部の先端面１３ｔと対向する部位の外面に、段差部１６又は縦リブ１８のような滑り防止手段が設けられていることが好ましい。
なお、ノズルカバー部１３に、段差部に代えて縦リブを形成しても良く、ノズルカバー部１３に段差部と縦リブとを形成しても良い。また、本体カバー部１２に、縦リブに代えて段差部を形成しても良く、本体カバー部１２に、縦リブと段差部とを形成しても良い。
【００３９】
また、本実施形態におけるキャップ１においては、図５（ａ）に示すように、ノズルカバー部１３と本体カバー部１２との結合角θが鈍角である。本発明においては、ノズルカバー部１３と本体カバー部１２との結合角θを直角又は鋭角としても良いが、該結合角θを鈍角とすることにより、本体カバー部１２内に出した剤を、刷毛部を備えた塗布具５Ｃ等の道具でかき混ぜる際に、ノズルカバー部１３と本体カバー部１２との結合部に存する角部に、刷毛部や道具の一部が引っ掛かりにくくなるので好ましい。斯かる観点から、鈍角である結合角θは、９５度以上１５０度以下であることがより好ましく、１００度以上１３０度以下であることが更に好ましい。
【００４０】
また、本実施形態におけるキャップ１においては、本体カバー部１２の凹部１２ａは、図５に示すように、底部１２ｂから側壁に向かって滑らかな曲面で連続しており、毛髪処理剤の使用後のふき取りが容易となり、繰り返しの使用に好適である。
本体カバー部１２の凹部１２ａは、キャップ１を容器として使用する際に底部となる底部１２ｂと該底部１２ｂの周囲に立ち上がる壁面とをつなぐ曲面部分の曲率半径が、好ましくは２ｍｍ以上２０ｍｍ以下、より好ましくは３ｍｍ以上１２ｍｍ以下である。ここでいう曲面部分の曲率半径は、底部１２ｂ及び該壁面の両者に直交する断面における曲率半径である。
【００４１】
図８（ａ）及び図８（ｂ）は、本発明の二剤吐出装置のキャップ及びキャップ付二剤吐出装置の別の実施形態の要部を示す図である。
図８に示す実施形態においては、吐出ヘッド３３から取り外したキャップ１Ａを、二剤吐出装置３の吐出ヘッド３３に、キャップの下端開口部１ｄを上側に向けて取り付け可能になされている。より具体的には、キャップ１Ａは、上述したキャップ１と同様に、本体カバー部１２とノズルカバー部１３とを有し、ノズルカバー部１３の先端面に開口を有し、その開口部の周囲に、一対の係合突起２５，２５が突設されている。そして、その係合突起２５を、吐出ヘッド３３の外側カバー３５に形成された係合孔２６，２６にそれぞれ挿入して係止させることで、吐出ヘッド３３に脱着自在に取り付け可能である。
【００４２】
このように、吐出ヘッド３３から取り外したキャップ１Ａを二剤吐出装置３に固定できるようにすると、キャップ１Ａが固定された二剤吐出装置３を片手に持ち、他方の手で塗布具を持って、調製した毛髪処理剤の頭髪等への塗布作業を行うことができ、便利である。例えば、キャップ１Ａ内の毛髪処理剤がなくなったときには、吐出ボタン３８を押して剤をキャップ１Ａ内に出しキャップ１Ａ内で混合することで、そのまま塗布作業を続けることができる。
なお、キャップ１Ａは、二剤吐出装置３を水平面上に直立させたときに、図８（ｂ）に示すように、水平面に対して斜めに傾斜した状態に取り付け可能であることが、ノズル部３９から吐出した第１剤及び第２剤の吐出状態の良否の視認が容易である等の観点から好ましい。ただし、窪み１４の開口面が、水平面と平行になるように取り付け可能としても良い。
【００４３】
本発明において、二剤式の毛髪処理剤とは、第１剤１と第２剤２からなり、それらを使用時に混合して用いる染毛用又は脱色用の組成物を含む概念である。染毛用の場合、第１剤１はアルカリ剤と染料を含有し、第２剤２は過酸化水素を含有する。脱色用の場合、第１剤１は染料を含有することなくアルカリ剤を含有し、第２剤２は、過酸化水素を含有する。二剤吐出装置から吐出される際の第１剤及び第２剤の形状は、フォーム状又はクリーム状であることが好ましい。毛髪処理の「毛髪」は、ヒトの頭髪であることが好ましいが、犬や猫などのペットの頭部の頭髪や頭部以外の体毛であっても良い。
【００４４】
第１剤１が含有するアルカリ剤としては、アンモニア、モノエタノールアミン等のアルカノールアミン、水酸化ナトリウム、水酸化カリウム等を使用することができる。また、適宜、緩衝剤として、炭酸水素アンモニウム、塩化アンモニウム等のアンモニウム塩や、炭酸カリウム、炭酸水素ナトリウム等の炭酸塩などを添加することができる。
【００４５】
二剤式の毛髪処理剤が染毛用のものである場合に、第１剤１が含有する染料としては、酸化染料又は直接染料を挙げることができる。この酸化染料としては、パラフェニレンジアミン、パラアミノフェノール、トルエン−２，５−ジアミン、Ｎ，Ｎ−ビス（２−ヒドロキシエチル）パラフェニレンジアミン、２−（２−ヒドロキシエチル）パラフェニレンジアミン、４−アミノ−３−メチルフェノール、６−アミノ−３−メチルフェノール、オルトアミノフェノール、１−ヒドロキシエチル−４，５−ジアミノピラゾール等の染料前駆体、レゾルシン、２−メチルレゾルシン、メタアミノフェノール、パラアミノオルトクレゾール、５−（２−ヒドロキシエチルアミノ）−２−メチルフェノール、メタフェニレンジアミン、２，４−ジアミノフェノキシエタノール、１−ナフトール等のカップラーが挙げられる。直接染料としては、パラニトロオルトフェニレンジアミン、パラニトロメタフェニレンジアミン、ベーシックイエロー８７、ベーシックオレンジ３１、ベーシックレッド１２、ベーシックレッド５１、ベーシックブルー９９、アシッドオレンジ７等を挙げることができる。
【００４６】
第１剤１及び第２剤２には、必要に応じて種々の添加剤を含有することができ、例えば、香料、紫外線吸収剤、エデト酸等の金属封鎖剤、殺菌剤、パラオキシ安息香酸メチル等の防腐剤、ジブチルヒドロキシトルエン、１−ヒドロキシエタン−１，１−ジホスホン酸、硫酸オキシキノリン等の安定化剤、エタノール、ベンジルアルコール、ベンジルオキシエタノール等の有機溶剤、ヒドロキシエチルセルロース等の水溶性高分子化合物、保湿剤等が挙げられる。
【００４７】
キャップは、第１剤及び第２剤を混合する容器として使用する観点から、合成樹脂の成形品であることが好ましい。合成樹脂としては、ポリプロピレン、ポリエチレン等のポリオレフィン、ポリエチレンテレフタレート等のポリエステル、ナイロン等のポリアミド等の各種公知のものを用いることができる。
【００４８】
本発明の二剤吐出装置のキャップの実施の一態様である販売の形態としては、キャップ１のみの販売、キャップ１と吐出ヘッド３３とのセット販売、キャップ１と連結部材３４を固定したエアゾール容器３１，３１とのセット販売、キャップ１と吐出ヘッド３３と連結部材３４を固定したエアゾール容器３１，３１とのセット販売、これらのいずれかと塗布具とのセット販売等が挙げられる。また、本発明のキャップ付二剤吐出装置には、二剤吐出装置の吐出ヘッドにキャップが脱着自在に実際に取り付けられているもの、及び二剤吐出装置とキャップとが分離した状態でセットとされているものの両者が含まれる。
【００４９】
以上、本発明の幾つかの実施形態について説明したが、本発明は、上述した実施形態に制限されず適宜変更可能である。
例えば、ノズルカバー部１３は、本体カバー部１２の長手方向又は第１方向における中央部分Ｘｃの片側に連設されているのに代えて、本体カバー部１２の長手方向又は第１方向Ｘにおける端部部分Ｘｅの片側に連設されていても良い。
本体カバー部１２の下端開口部側から視た平面視形状は、長円形状に代えて、楕円形や角部を丸めた長方形状等、任意の形状とすることができる。ノズルカバー部１３の下端開口部側から視た平面視形状も、台形状に代えて、正方形状、逆台形状、円弧状等、任意の形状とすることができる。
【００５０】
ノズル部は、その先端に至るまで完全に二剤の流路が独立のものであっても良いが、ノズル部内で二剤が接触したり多少混合されるものであっても良い。二剤吐出装置や二剤式の毛髪処理剤に関し、特に説明しない点は、特許文献１と同様とすることもできる。
二剤式の毛髪処理剤としては各種公知のものを利用でき、毛髪処理剤を構成する第１剤及び第２剤も、その毛髪処理剤を構成する第１剤及び第２剤として公知のものを特に制限なく用いることができる。
【符号の説明】
【００５１】
１０  キャップ付二剤吐出装置
１，１Ａ  二剤吐出装置のキャップ
１ｄ  下端開口部
１１  係合凸部
１２  本体カバー部
１２ａ  凹部
１３  ノズルカバー部
１３ａ  凹部
１４  窪み
１４ｂ  凸部
１５  窪みの開口面
１６，１７  段差部（滑り止め手段）
１８  縦リブ（滑り止め手段）
３  二剤吐出装置
３１  エアゾール容器
３３  吐出ヘッド
３８  吐出ボタン（吐出操作部）
３９  ノズル部
【図１】
0006632305.tif 000002
【図２】
0006632305.tif 000003
【図３】
0006632305.tif 000004
【図４】
0006632305.tif 000005
【図５】
0006632305.tif 000006
【図６】
0006632305.tif 000007
【図７】
0006632305.tif 000008
【図８】
0006632305.tif 000009